(57)【要約】【課題】車載を可能にした車椅子の使い勝手を向上する。【解決手段】車両Ｃ上のシートレール３２と同様な走行面を有する車台１上のシートレール３２と、これらの上を走行するシートＳを備えた車両搭載装置において、車室内の床面に対し前後に走行自在とした台座５０上に車両上のシートレール３２を回動自在に設けると共に、この回動の中心３１を車室の外側方向にして前後端に偏心させ、連結アーム５７の両端を車両上のシートレールの回動中心より偏心した位置と車室内の床面側にそれぞれ軸着することにより、車両上のシートレールの車室外への回動に伴ってこのシートレール全体を車室前方に移動させ、更に連結アーム端と車両上のシートレールの軸着にあたり遊びを設けることにより、遊びの範囲内において車両上のシートレールがフリー回動するようにする。【選択図】　　　図１
2004098845.tif 000002
【特許請求の範囲】
【請求項１】
車台上のシートレール上を走行自在とすると共にそこから着脱自在としたシート部分を有する車椅子と、このシート部分が走行自在とされると共に着脱自在とされる車両上のシートレールからなり、車両上のシートレールを車両の車室内の床面に対して回動自在とすることにより、その端部を車室内より車室外に変位自在とし、車台上のシートレールの端部を車室外に変位した車両上のシートレールと突き合わせ可能とした車椅子用シートの車両搭載装置において、車室内の床面に対し前後に走行自在とした台座上に車両上のシートレールを回動自在に設けると共に、この回動の中心を車室の外側方向にして前後端に偏心させ、連結アームの両端を車両上のシートレールの回動中心より偏心した位置と車室内の床面側にそれぞれ軸着することにより、車両上のシートレールの車室外への回動に伴ってこのシートレール全体を車室前方に移動させ、更に連結アーム端と車両上のシートレールの軸着にあたり遊びを設けることにより、遊びの範囲内において車両上のシートレールがフリー回動するようにしたことを特徴とする車椅子用シートの車両搭載装置。
【請求項２】
連結アーム端に突設した軸を車両上のシートレールに設けた長孔の長手方向に摺動自在に軸支することにより連結アーム端と車両上のシートレールの軸着にあたり遊びを設ける手段とした請求項１記載の車椅子用シートの車両搭載装置。
【請求項３】
連結アーム端に突設した軸の車両上のシートレールに設けた長孔に対する摺動範囲を調整することにより、シートレールのフリー回動の範囲を調整可能とした請求項２記載の車椅子用シートの車両搭載装置。
【請求項４】
ピローボールを介して連結アーム端が車室内の床面側に軸着される請求項１から３の何れかに記載の車椅子用シートの車両搭載装置。
【発明の詳細な説明】
【０００１】
【発明の属する技術分野】
この発明は車載を可能にした車椅子に関し、より詳細には車椅子を車台とシート部分に分離可能とし、シート部分を車載可能とした車椅子用シートの車両搭載装置の改良に関する。
【０００２】
【従来の技術】
自力で歩行困難な車椅子利用者が自動車等の車両に乗り込むに際しては介助者の補助が必要であり、その作業にあたっては利用者を一旦抱き上げなくてはならなかった。よって、これを行うことのできる介助者は限られ、又、多大の労力を要した。そのため、車椅子ごと車両内に搭載する試みもなされていたが、例えば電動車椅子のように多大の重量を有するものを車室内に搭載するためには、相応の動力リフターが必要となり、又、車両自体も車椅子をそのまま収容可能な大きな車室を有する例えばワゴン車などの特殊なものを要する問題を生じた。更に、この場合には構造上、車椅子を運転者等の他の搭乗者のシートと併設することができず、これらのシートと離れた場所（例えば、ワゴン車の場合ではリアーゲート付近）に設置せざるを得ず利用者に疎外感を与える問題も生じた。
【０００３】
以上の問題を解消するために、車椅子の車台部分に対しシート部分を着脱自在とし、このシート部分のみを車両に搭載する発明が従来公知であった（例えば、特開平５−８５２３９、特開平１０−２５８０８４、特開昭５５−８７９６、実公平３−１７５、特公平４−６７４５８、特公平４−６７４５９、特公平４−６７４６０等）。一方、これらの問題点を解消したものとして、車台上のシートレール上を走行自在とすると共にそこから着脱自在としたシート部分を有する車椅子と、このシート部分が走行自在とされると共に着脱自在とされる車両上のシートレールからなり、車両上のシートレールを車両の車室内の床面に対して回動自在とすることにより、その端部を車室内より車室外に変位自在とすると共に、車台上のシートレールにその地上高を可変する機構を設けることにより、車台上のシートレールの端部を車室外に変位した車両上のシートレールと突き合わせ可能とした車椅子用シートの車両搭載装置が公知であった（特開２００１−１７４７２）。
【０００４】
図１１乃至２４に基づき、後者の公知発明について先ず詳説する。図１９はこの発明の車両搭載装置の全体を示す図である。この発明の車両搭載装置は車椅子Ｈと自動車等の車両Ｃ側に設けられる車両上のシートレール３２の組み合わせにより構成される。
【０００５】
車椅子Ｈはタイヤ２を有する車台１とこの車台に対して着脱自在に設けられるシートＳから構成される。そして、この発明においてはシートＳの底部に設けた走行部材２０を車台１上のシートレール１０に対して走行自在とすることにより着脱手段としている。尚、シートＳは車両用のシートと同等のクッション、ヘッドレスト、強度を持ったものを採用している。
【０００６】
車台上のシートレール１０は車台の左右に一対配されるものであり、利用者により任意の高さに調節される複数個の昇降部材３を介して車台１上に載置される。このシートレール１０は後記するシートＳの走行部材２０がその前後の車輪２１、２２をもって走行可能とするために、下方に走行面１０Ａを有すると共に、これらの車輪が上方向に離脱しないように上方に庇状の規制面１０Ｂを有する断面横向きコ字状をなし、走行部材が端部より離脱できるように少なくとも一端が開放された構成よりなる（特に図１２参照）。
【０００７】
走行部材２０は上記の一対のシートレール１０の間隔に対応してシートＳの底部に一対垂設されるものであり、前後にはシートレール上を走行するための車輪２１、２２が設けられる（図１４、２１参照）。
【０００８】
一方、車両Ｃ上のシートレール３２はシートＳの走行部材２０が走行可能なように、前記の車台上のシートレール１０と同様の形状のものが同様の間隔をもって車両Ｃ上に一対配される。この発明においては、車両Ｃ上のシートレール３２はそこに装着されたシートＳを車室内において他のシートと同列に配置可能とするために通常は車室内の定位置に位置し、シートの着脱時にその端部が車室外に変位する構成としている。ここでは車両Ｃ上のシートレール３２をベース部材３０上に固定すると共に、このベース部材を車両Ｃの車室内の床面に対して回動自在とし、この場合、ベース部材の回動の中心３１を車室の外側方向にして、前後端に偏心させることにより、車両上のシートレールの端部を車室内より車室外に変位自在とする手段としている（図２２乃至２４参照）。尚、図示しないがこの場合、ベース部材３０には車両に対する所定位置において固定されるための固定手段が設けられる。又、この車両上のシートレールは助手席、後部座席、運転席のどこに取り付けてもよく、ここでは後部座席の右側に取り付けたものを想定している。
【０００９】
以上の構成から明らかなように、図１９乃至２４に示すようにこの発明においては車台１上のシートレール１０と車両Ｃ上のシートレール３２はその端部同士を突き合わせて連結することにより、その上をシートＳの走行部材２０が自在に走行可能となる。そして、この場合、車台１上のシートレール１０と車両Ｃ上のシートレール３２を突き合わせ状態で固定するためのロック手段、何れかのシートレール上に走行部材２０を固定するためのロック手段、シートレールからの走行部材の脱落を防止する手段が設けられる
図中符号１２及び３４は車台１上のシートレール１０と車両Ｃ上のシートレール３２を突き合わせ状態で固定するためのロック手段である（特に、図１６乃至１８参照）。このロック手段は車台１上のシートレール１０の端部に設けられる開閉鉤１３と車両Ｃ上のシートレール３２の端部の側方に突設されるピン３４から構成されるものであり、図示しないコントロールワイヤーにより操作される可動部１４の揺動により開口が広狭する開閉鉤１３により、シートレール１０とシートレール３２の突き合わせ状態においてピン３４が掴持されて両シートレールは結合状態でロックされる（図１８の状態）。尚、可動部１４は図示しないバネにより常に閉止方向に付勢される。
【００１０】
図中符号２９及び１１、３３は車台１上のシートレール１０と車両Ｃ上のシートレール３２の何れかにシートＳの走行部材２０を固定するためのロック手段である（特に、図１１乃至１４、２０乃至２４参照）。このロック手段はシートＳの走行部材２０の両側から進退する一対のピン２９と、走行部材のシートレールに対する固定位置においてこのピンが貫通すべき、車台１上の一対のシートレール１０の側面に設けられた孔１１及び同じく車両Ｃ上のシートレール３２の側面に設けられた孔３３から構成されるものであり、ピン２９を何れかのシートレールの孔に挿入することによりシートはシートレールに対して固定される。尚、ここではピン２９は走行部材２０の側面に貫通したスリーブ２８内に進退自在に収容されると共にバネ２９Ａにより進出方向に付勢され、更にコントロールワイヤー２９Ｂにより退出方向に引き寄せられる構成としている。このロック手段のその余の作用の詳細は後記する。
【００１１】
図中符号２３及び１５Ａ、１５Ｂ、３５は車台１上のシートレール１０又は車両Ｃ上のシートレール３２からのシートＳの走行部材２０の脱落を防止する手段である（特に、図１１乃至１５参照）。この脱落防止手段は先端にシートレール１０又は３２上を転動すべき車輪２５を設けると共に中途に下方突出部２６を設けたレバー部材２３を走行部材２０の端部に上下揺動自在に設け、シートレール端には上記のレバー部材の車輪がシートレール端を過ぎて下方に落下した際に中途の下方突出部先端が落ち込む孔１５Ａ、１５Ｂ、３５を設けた構成よりなる。この揺動部材２３は軸２４により走行部材２０の側面端部に揺動自在に設けられると共に、バネ２７により先端の車輪２５がシートレール１０又は３２の走行面１０Ａ又は３２Ａに当接するように付勢される。そして、この揺動部材２３はシートＳの一対の走行部材２０の一方の後方（図２０におけるＡ方向）と他方の前方（図２０におけるＢ方向）に設けられ、これに対応して車台１上の一対のシートレール１０の一方の後方に孔１５Ａが、同じく他方の前方に孔１５Ｂが、車両Ｃ上の一対のシートレール３２の一方の前方に孔３５が設けられる。この脱落防止手段のその余の作用の詳細は後記する。
【００１２】
以上の車両搭載装置の使用方法及び作用は次の通りである。
▲１▼車椅子使用時には、シートＳはその走行部材２０が車椅子Ｈの車台１上のシートレール１０に装着されると共に、走行部材のピン２９がシートレールの孔１１に挿通されてロック状態を保っている（図１１、１２、１６、１９、２０、２２の状態）。
▲２▼シートＳを車両Ｃ上のシートレール３２に装着するには、先ず車両Ｃ上のベース部材３０を回動してその上に設けられたシートレールの端部を車室内より車室外に変位させる（図２２参照）。次いで、図示しない操作部材により昇降部材３を昇降させることにより車椅子Ｈの車台１上のシートレール１０の高さを車両Ｃ上のシートレール３２のそれと一致させる。
▲３▼上記の作業が完了した時点で、車椅子Ｈのタイヤ２の図示しないブレーキを解除して、車椅子を移動させることにより車台１上のシートレール１０の端部を車両Ｃ上のシートレール３２の端部に突き当てる。この場合、先ず、車両Ｃ上のシートレール３２の側方に突出したピン３４が、車台１上のシートレール１０の端部の開閉鉤１３の開口に位置すると共にそこに設けられた可動部１４を押し拡げて内部に進入し（図１７の状態）、進入後は可動部１４を開放しない限り引き抜き不能となり（図１８の状態）、両シートレールは結合状態でロックされる。又、この場合、車椅子Ｈのタイヤ２のブレーキが再び作動して、車椅子自体の移動も禁止される。
▲４▼上記の作業が完了した時点で、シートＳの走行部材のピン２９を図示しない操作部材によりシートレールの孔１１から退出させることによりロック状態を解除し、シートＳを車台１上のシートレール１０から車両Ｃ上のシートレール３２に向かって手で押す等の手段により走行させる（図１３、１４、１８、２１、２３の状態）。
▲５▼シートＳが車両Ｃ上のシートレール３２上に完全に移動した時点で、走行部材のピン２９をシートレールの孔３３に挿通してロックする。
▲６▼上記の作業が完了した時点で、車椅子Ｈのタイヤ２のブレーキを解除すると共に、シートレール１０の端部の開閉鉤１３の開口に位置する可動部１４を開放して、車台１上のシートレール１０の端部を車両Ｃ上のシートレール３２の端部より引き離す。次いで、車両Ｃ上のベース部材３０を回動してその上に設けられたシートレールの端部を車室外より車室内の定位置に変位させる（図２４参照）。
▲７▼シートＳを車両Ｃから車椅子Ｈに戻すには以上と逆の操作を行えばよい。
【００１３】
以上の過程において、仮に車台１上のシートレール１０と車両Ｃ上のシートレール３２が結合していない状態で、シートＳの走行部材２０のロックが解除された場合は、図１５に示すように脱落防止手段が作用することとなる。即ち、走行部材２０の端部がシートレール端より外に離脱しようとした時点でその端部に設けられたレバー部材２３の先端の車輪２５が走行面を失って前方に落下し、その結果、その後方の下方突出部２６の先端がシートレールの走行面１０Ａの孔１５Ａ（シートＳが車台１上のシートレール１０の後方から脱落しようとした場合）又は１５Ｂ（同じく、前方から脱落しようとした場合）、又はシートレールの走行面３２Ａの孔３５（同じく、車両Ｃ上のシートレール３２の前方から脱落しようとした場合）に落ち込んで、走行部材２０がシートレールにロックされることとなる。
【００１４】
以上の公知発明は、車台上のシートレールと車両上のシートレールを突き合わせて連結して、その上をシートが走行することにより、シートを車両に搭載するので、構造が極めて簡素であり、又、動力リフターを要さずとも人力により利用者をシートに載せたまま車両に乗降させることが可能となる点において優れた効果を奏するものであるが、その反面、車台上のシートレールと車両上のシートレールを突き合わせに際しては、車両上のシートレールを車両の車室内の床面に対して回動自在とすることによりその端部を車室内より車室外に変位する構造を採用しているので、ドアの開口寸法が小さい４ドアセダンの場合には回動の中途においてシートレールが前ドアと後ドアの間のピラーに衝突して９０度まで回動できない問題があった。
【００１５】
そこで、車室内の床面に対し前後に走行自在とした台座上に車両上のシートレールを回動自在に設けると共に、この回動の中心を車室の外側方向にして前後端に偏心させ、連結アームの両端を車両上のシートレールの回動中心より偏心した位置と車室内の床面側にそれぞれ軸着することにより、車両上のシートレールの車室外への回動に伴ってこのシートレール全体を車室前方に移動させる発明が本願発明者により提案されていた（特開２００２−６５７４８）。
【００１６】
【発明が解決しようとする課題】
しかしながら、前記発明においてはシートの回動に伴ってシートが車室前方に自動的に移動するので、例えば降車に際し、先ずシートを車室外に向けてある程度回動させ、その後更にシートを回動させながらシートを前方に移動させるという動作ができない不便さがあった。
【００１７】
【課題を解決するための手段】
この発明は前記の問題点を解消することを目的として創作されたものであり、車台上のシートレール上を走行自在とすると共にそこから着脱自在としたシート部分を有する車椅子と、このシート部分が走行自在とされると共に着脱自在とされる車両上のシートレールからなり、車両上のシートレールを車両の車室内の床面に対して回動自在とすることにより、その端部を車室内より車室外に変位自在とし、車台上のシートレールの端部を車室外に変位した車両上のシートレールと突き合わせ可能とした車椅子用シートの車両搭載装置において、車室内の床面に対し前後に走行自在とした台座上に車両上のシートレールを回動自在に設けると共に、この回動の中心を車室の外側方向にして前後端に偏心させ、連結アームの両端を車両上のシートレールの回動中心より偏心した位置と車室内の床面側にそれぞれ軸着することにより、車両上のシートレールの車室外への回動に伴ってこのシートレール全体を車室前方に移動させ、更に連結アーム端と車両上のシートレールの軸着にあたり遊びを設けることにより、遊びの範囲内において車両上のシートレールがフリー回動するようにしたことを特徴とする。
【００１８】
【発明の実施の形態】
以下、この発明の具体的実施例を添付図面に基づいて説明する。尚、この発明の前提となる車椅子用シートの車両搭載装置は従来技術の項で詳説した公知発明であり、この実施例では発明の要旨である改良部分のみ説明し、その前提となる車両搭載装置自体については前記の従来技術の項における説明を援用し、符合も同じものを使用する。
【００１９】
図１乃至７はこの発明の実施例を示す図である。図中符合３２は車両Ｃ上のシートレールであり、車椅子のシートＳの走行部材２０が走行可能なように、車台上のシートレール１０と同様の形状のものが同様の間隔をもって車両上に一対配される。このシートレール３２はそこに装着されたシートＳを車室内において他のシートと同列に配置可能とするために通常は車室内の定位置に位置し、シートの着脱時にその端部が車室外に変位する構成としている。ここでは車両Ｃ上のシートレール３２をベース部材３０上に固定すると共に、このベース部材を車室内の床面Ｆに対し前後に走行自在とした台座５０に対して回動自在としている（図２及び３参照）。この場合、ベース部材３０の回動の中心軸３１を車室の外側方向にして、前後端に偏心させることにより、車両上のシートレールの端部を車室内より車室外に変位自在としている。尚、台座５０はその底部に設けられた走行部材５１が車室内の床面Ｆ上に設けられた取り付けフレーム５３上のレール５２上を前後に走行する（図２及び３参照）。
【００２０】
この発明においては車両上のシートレール３２の車室外への回動に伴ってこのシートレールを車室前方に移動させる手段として、リンク機構を応用している。即ち、連結アーム５７を用意し、この両端を車両上のシートレールの回動中心より偏心した位置と車室内の床面側にそれぞれ軸着することにより、車両上のシートレールの車室外への回動運動をシートレール全体の前後運動に変換している。
【００２１】
連結アーム５７は車両上のシートレールのベース部材３０に突設した取り付けブラケット６０と車室内の床面Ｆ上の取り付けフレーム５３に突設した取り付けブラケット５４に軸着される。この場合、床面Ｆ上の取り付けフレーム５３の取り付けブラケット５４においては、そこに立設した軸５５にピローボール５６を介して連結アーム５７の一端が連結される（図２及び３参照）。一方、連結アーム５７の他端には軸５８が突設され、この軸がシートレールのベース部材３０の取り付けブラケット６０に穿設した長孔５９に軸支される（図１乃至３参照）。上記長孔５９は長手方向がベース部材３０の前後方向に沿って配されるものであり、軸支される連結アーム５７の軸５８は長孔の長手方向に摺動自在となる。
【００２２】
次にこの発明の作用を図４乃至７に基づいて説明する。図４は車両上のシートレール３２が通常位置（車室内の通常位置）にある場合を示す図である。この状態においてシートレール３２を車室外に向かって回動させる場合、連結アーム５７の一端の軸５８がシートレールのベース部材３０の取り付けブラケット６０の長孔５９の後端から前端に摺動して突き当たるまでは（図５の状態）、シートレールはフリー回動することになる。
【００２３】
そして、連結アーム５７の一端の軸５８がブラケット６０の長孔５９の前端に突き当たった状態で、シートレール３２を更に回動すると回動に伴い偏心位置にあるアーム５７が引き寄せられ、この場合アームは車室内の床面Ｆ上に設けられた取り付けフレーム５３に固定されているのだから、結果的にベース部材３０ごとシートレールは前方に移動し（図５参照−シートレールはＡ１位置からＡ２位置に前進している−）、ピラーＰに衝突することなく、９０度回動してその端部が車室外に変位することが可能となる（図６参照−シートレールは更にＡ３位置まで前進している−）。以上の過程において、アーム５７の圧縮方向に無理な力が加わる場面があるが、この実施例においては軸着部にピローボール５６を採用しているので、アームは上下に傾斜することによりこの力を吸収し、シートレールのスムーズな回動及び前後移動が維持されることとなる。
【００２４】
図８及び９はこの発明の異なる実施例を示す図であり、ここでは連結アーム５７の一端の軸５８の摺動範囲を調整することにより、シートレール３２のフリー回動の範囲を調整可能としている。この実施例においては、取り付けブラケット６０の長孔５９に対しピン７１を着脱自在とするものであり、上記のピンが取り付けブラケット６０の中途に設けた挿通孔７１、７１に挿入されて長孔５９を塞ぐことにより軸５８のそれ以上の進行が阻止される。
【００２５】
図１０はこの発明の異なる実施例を示す図であり、ここでも連結アーム５７の一端の軸５８の摺動範囲を調整することにより、シートレール３２のフリー回動の範囲を調整可能としている。この実施例においては、阻止板８１が取り付けブラケット６０の長孔５９内を前後動するものであり、この阻止板８１は取り付けブラケット６０の長手側一端に設けた螺子孔８３に螺挿される雄螺子８２付きのボルト８０の先端に設けられることにより、軸５８のそれ以上の進行を阻止する。
【００２６】
【発明の効果】
以上の構成よりなるこの発明によれば、従来装着ができなかった開口が小さい４ドア車であっても前記した公知の車椅子用シートの車両搭載装置が実施可能となることはもとより、シートを車室外に向けてフリー回動できるので、状況に応じてシートを回動することにより使い勝手の良い車両搭載装置が実現されることとなる。
【図面の簡単な説明】
【図１】この発明の車両搭載装置の車両上のシートレール部分の一部切り欠き平面図。
【図２】この発明の車両搭載装置の車両上のシートレール部分の側面図。
【図３】この発明の車両搭載装置の車両上のシートレール部分の側面図。
【図４】この発明の車両搭載装置の車両上のシートレール部分の一部切り欠き平面図。
【図５】この発明の車両搭載装置の車両上のシートレール部分の一部切り欠き平面図。
【図６】この発明の車両搭載装置の車両上のシートレール部分の一部切り欠き平面図。
【図７】この発明の車両搭載装置の車両上のシートレール部分の一部切り欠き平面図。
【図８】この発明の車両搭載装置の異なる実施例の一部切り欠き平面図。
【図９】この発明の車両搭載装置の異なる実施例の一部切り欠き平面図。
【図１０】この発明の車両搭載装置の異なる実施例の一部切り欠き平面図。
【図１１】公知の車両搭載装置の車台上のシートレールと車両上のシートレール部分の要部を内側から観察した一部切り欠き側面図。
【図１２】公知の車両搭載装置の車台上のシートレールの要部を内側から観察した斜視図。
【図１３】公知の車両搭載装置の車台上のシートレールと車両上のシートレール部分の要部を内側から観察した一部切り欠き側面図。
【図１４】公知の車両搭載装置の車台上のシートレールと車両上のシートレール部分の要部を内側から観察した一部切り欠き側面図。
【図１５】公知の車両搭載装置の車台上のシートレールの要部を内側から観察した一部切り欠き側面図。
【図１６】公知の車両搭載装置の車台上のシートレールと車両上のシートレール部分の要部を外側から観察した一部切り欠き側面図。
【図１７】公知の車両搭載装置の車台上のシートレールと車両上のシートレール部分の要部を外側から観察した一部切り欠き側面図。
【図１８】公知の車両搭載装置の車台上のシートレールと車両上のシートレール部分の要部を外側から観察した一部切り欠き側面図。
【図１９】公知の車両搭載装置の全体の側面図。
【図２０】公知の車両搭載装置の車台上のシートレール部分の一部切り欠き平面図。
【図２１】公知の車両搭載装置の全体の側面図。
【図２２】公知の車両搭載装置の車台上のシートレールと車両上のシートレール部分の要部の一部切り欠き平面図。
【図２３】公知の車両搭載装置の車台上のシートレールと車両上のシートレール部分の要部の一部切り欠き平面図。
【図２４】公知の車両搭載装置の車両上のシートレール部分の一部切り欠き平面図。
【符号の説明】
Ｈ　　　　車椅子
Ｓ　　　　シート
Ｃ　　　　車両
Ｇ　　　　手押しハンドル
１　　　　車台
１０　　　車台上のシートレール
１３　　　開閉鉤
２０　　　走行部材
３２　　　車両上のシートレール
５８　　　軸
５９　　　長孔
【図１】
2004098845.tif 000003
【図２】
2004098845.tif 000004
【図３】
2004098845.tif 000005
【図４】
2004098845.tif 000006
【図５】
2004098845.tif 000007
【図６】
2004098845.tif 000008
【図７】
2004098845.tif 000009
【図８】
2004098845.tif 000010
【図９】
2004098845.tif 000011
【図１０】
2004098845.tif 000012
【図１１】
2004098845.tif 000013
【図１２】
2004098845.tif 000014
【図１３】
2004098845.tif 000015
【図１４】
2004098845.tif 000016
【図１５】
2004098845.tif 000017
【図１６】
2004098845.tif 000018
【図１７】
2004098845.tif 000019
【図１８】
2004098845.tif 000020
【図１９】
2004098845.tif 000021
【図２０】
2004098845.tif 000022
【図２１】
2004098845.tif 000023
【図２２】
2004098845.tif 000024
【図２３】
2004098845.tif 000025
【図２４】
2004098845.tif 000026